(57)【要約】【課題】  従来の落下防止ベルトは、ベルト本体の他に、ゴムバンドやその先端に設けられたフック状掛止具等が必要で、構造が複雑であるという課題があった。【解決手段】  本発明の落下防止ベルト１０は、収納開口３５を横断するように張架された張架部としてのベルト１２と、ベルト１２の両端部に設けられ、前側支柱３１、３２に取り付けられる取り付け部２１、２２とを概略具備している。ベルト１２は、長さ方向に長さ調整可能とするとともに、ベルト１２が収納開口３５を横断する落下防止位置にある状態で物品の出し入れを可能とするためのバックル１４を備え、また、取り付け部２１、２２は、ベルト１２の両端部を各々支柱３１、３２に巻き付ける、内側面に滑り止め部２７、２８を有する環状部２３、２４をアジャスタ２５、２６で移動不可に拘束した構成となっている。【選択図】図１
2013158633.tif 000002
【特許請求の範囲】
【請求項１】
複数の支柱と、該複数の支柱の間に架け渡される棚板とからなる収納棚の収納開口に配置される落下防止ベルトであって、
前記収納開口に張架される張架部と、前記張架部の両端部に設けられ、前記支柱に取り付けられる取り付け部とを具備し、
前記取り付け部の少なくとも一方は、前記支柱に巻き付け固定するための環状部を備え、該環状部の前記支柱に当接する面に滑り止め部を有することを特徴とする落下防止ベルト。
【請求項２】
前記張架部は、張架部の長さ方向に長さ調整可能とする長さ調整部を備えることを特徴とする請求項１に記載の落下防止ベルト。
【発明の詳細な説明】
【技術分野】
【０００１】  本発明は、地震等により各種什器や本棚、または工場等の倉庫に設置された収納棚が振動しても、これらの収納棚の棚板に載置された物品の落下や飛び出しを防止する落下防止ベルトに関する。
【背景技術】
【０００２】  従来、地震や意図しない何らかの物品の衝突等における振動、揺れ及び傾きで収納棚の棚板に載置された物品の落下や飛び出しを防止する装置が種々提案されている。【０００３】  たとえば、特許文献１に開示される落下防止ベルトは、ベルト本体と、ベルト本体の長手方向両端部に共に縫着された金属製の環状掛止具およびゴムバンドと、ベルト本体及びゴムバンドが共に長手方向に相対移動可能に挿通された金属製のフック状掛止具とから構成されている。
【先行技術文献】
【特許文献】
【０００４】
【特許文献１】  特許第３９３０６２３号公報
【発明の概要】
【発明が解決しようとする課題】
【０００５】  しかしながら、特許文献１に開示される落下防止ベルトは、ゴムバンドの弾性変形により所定太さ以上の支柱には対応可能であるが、所定太さ以下の支柱では巻き付け固定ができない課題があった。【０００６】  また、特許文献１に開示される落下防止ベルトは、ベルト本体の他に、ゴムバンドやその先端に設けられたフック状掛止具等が必要で、構造が複雑であるという課題があった。
【課題を解決するための手段】
【０００７】  この発明の目的は、上述した事情に鑑みなされたもので、収納棚の支柱太さによらず取り付けが可能な、物品の落下と飛び出しを防止する落下防止ベルトを提供することである。【０００８】  また、この発明の別の目的は、構造が簡単で安価に製造可能な落下防止ベルトを提供することである。【０００９】  上述した課題を解決し、目的を達成するため、この発明に係わる落下防止ベルトは、請求項１の記載によれば、複数の支柱と、該複数の支柱の間に架け渡される棚板とからなる収納棚の収納開口に配置される落下防止ベルトであって、前記収納開口に張架される張架部と、前記張架部の両端部に設けられ、前記支柱に取り付けられる取り付け部とを具備し、前記取り付け部の少なくとも一方は、前記支柱に巻き付け固定するための環状部を備え、該環状部の前記支柱に当接する面に滑り止め部を有することを特徴とする。【００１０】  また、この落下防止ベルトは、請求項２の記載によれば、前記張架部は、張架部の長さ方向に長さ調整可能とする長さ調整部を備えることを特徴とする。
【発明の効果】
【００１１】  この発明によれば、収納棚の支柱太さによらず取り付けが可能であり、かつ、物品の落下と飛び出しを確実に防止する落下防止ベルトを提供することができる。【００１２】  また、この発明によれば、取り付けが簡便で、かつ安価に製造可能な落下防止ベルトを提供することができる。
【図面の簡単な説明】
【００１３】
【図１】  本発明の落下防止ベルトの取り付け正面図
【図２】  本発明の落下防止ベルトの側面図
【発明を実施するための形態】
【実施例】
【００１４】  以下に図面を用いて本発明の実施例を説明する。なお、本発明においては、事務所または一般家庭で使用されている収納棚や本棚・什器等の支柱または棚側壁と棚板とからなる収納開口を有する収納棚であれば、本発明の落下防止ベルトが適用可能である。【００１５】  以下に、図１及び図２を用いて、本発明の落下防止ベルト１０を説明する。
図１は、本発明の落下防止ベルト１０を収納棚に取り付けた取り付け正面図である。図２は、落下防止ベルト１０の側面図である。【００１６】  図１には、本発明の落下防止ベルト１０が取り付けられた収納棚３０が示されている。この収納棚３０は、例えば、鋼材製のＬ型アングル材・コの字型アングル材や角パイプ材等からなる床面に立設される複数本の支柱３１、３２等と、支柱３１、３２等に任意の上下間隔をもって架け渡されて各種物品が載置される鋼板や角パイプ材等からなる棚板３３、３４等とから構成されている。【００１７】  また、収納棚３０において、棚板３３へ物品を出し入れする側となる前側支柱３１、３２と棚板３３、３４とで囲まれる収納開口３５には、本発明の落下防止ベルト１０の張架部としてのベルト１２が、収納開口３５を横断する落下防止位置となるように張架されている。【００１８】  図１及び図２によれば、本発明の落下防止ベルト１０は、収納開口３５を横断するように張架された張架部としてのベルト１２と、ベルト１２の両端部に設けられ、前側支柱３１、３２に取り付けられる取り付け部２１、２２とを具備している。【００１９】  また、ベルト１２は、長さ方向（ベルトの長手方向）に長さ調整可能とするとともに、ベルト１２が収納開口３５を横断する落下防止位置にある状態で物品の出し入れを可能とするために張架を解除するプラグ１４ａとソケット１４ｂとからなるバックル１４を備えている。なお、ベルト１２の長さ調整はプラグ１４ａの側で行い、ソケット１４ｂの側はベルト１２を通して折り返し、縫い止め部１５で縫い止めされている。【００２０】  また、取り付け部２１、２２は、ベルト１２の両端部を各々支柱３１、３２に巻き付けることで形成される環状部２３、２４をアジャスタ（いわゆるコキ）２５、２６でベルト１２の長さ方向に移動不可に拘束した構成となっている。また、環状部２３、２４の支柱３１、３２に当接する内側面に滑り止め部２７、２８を有している。なお、この実施例において取り付け部２１、２２は、ベルト１２の両端部に設けるとしたが、その一方のみに設ける構成としても良い。【００２１】  このように、取り付け部２１、２２は、ベルト１２の両端部とアジャスタ２５、２６とで支柱３１、３２に巻き付ける環状部２３、２４を構成するようにしているので、収納棚の支柱太さによらず取り付けが可能となっている。なお、ベルト１２の各端部には、ベルト１２が垂れ下がるのを防止するためのベルト止め環１６が設けられている。【００２２】  以上のような構成を有する本発明の落下防止ベルト１０を、収納開口３５を横断する落下防止位置に設置する方法を以下に説明する。なお、設置方法は種々の方法が可能であるので、より簡単な設置方法を説明する。【００２３】  最初に、ベルト１２の両端部をアジャスタ２５、２６から取り外し、両端部を各々支柱３１、３２に巻き付けた後に改めてアジャスタ２５、２６に挿通して環状部２３、２４を構成させる。この際、環状部２３、２４の支柱３１、３２に当接する内側面に設けられた滑り止め部２７、２８により、落下防止ベルト１０は支柱３１、３２から下がってくる（支柱３１、３２の軸方向で収納棚３０の設置面に向かって移動してくる）こ��なく、確実に巻き付けることが可能となる。【００２４】  次に、バックル１４のプラグ１４ａを用いて、ベルト１２の張架状態が不完全（ベルト１２が不必要に垂下した状態）とならないように長さを調整し、図１に示す状態に設定する。【００２５】  この図１の状態で、地震等により棚板３３上に載置された物品が張架されたベルト１２に衝突した場合、当該物品はベルト１２により落下することがない。また、環状部２３、２４の支柱３１、３２に当接する内側面に設けられた滑り止め部２７、２８は、物品の衝突によっても支柱３１、３２の軸方向への移動を不可とするので、物品が落下することはない。【００２６】  なお、図１の状態でプラグ１４ａをソケット１４ｂから取り外せば、ベルト１０の張架を容易に解除可能であるので、物品の出し入れも非常に容易となっている。【００２７】  以上のように、本発明の落下防止ベルト１０は、収納棚の支柱太さによらず取り付けが可能であり、かつ、物品の落下と飛び出しを確実に防止することが可能となっている。【００２８】  また、本発明の落下防止ベルト１０は、簡単な構成となっているので、収納棚３０への取り付けも容易で、かつ、安価に製造そることが可能である。
【符号の説明】
【００２９】１０・・落下防止ベルト、１２・・ベルト、１４・・バックル、１４ａ・・プラグ、１４ｂ・・ソケット、１５・・縫い止め部、１６・・ベルト止め環、２１、２２・・取り付け部、２３、２４・・環状部、２５、２６・・アジャスタ、２７、２８・・滑り止め部、３０・・収納棚、３１、３２・・支柱、３３、３４・・棚板、３５・・収納開口
【図１】
2013158633.tif 000003
【図２】
2013158633.tif 000004